(57)【要約】本発明は、ベッドマットレスに内蔵されて外部荷重を吸収し緩衝するスプリング組立体に関し、上下部枠線部材１２０、１２０’間の空間にピン部材１４０によって、スプリングセット１１０の最も外側のコイルスプリング１１５を固定した後、このスプリングセット１１０の上下部側に行方向Ｒに沿って隣接したコイルスプリング１１５を結束するヘリカルコイル１３０を装着することにより、上部枠線部材１２０の上部側または下部枠線部材１２０’の下部側の少なくともいずれか一方に、コイルスプリングの露出回旋端部１１５ａが突出するように構成されるベッドマットレス用スプリング組立体において、コイルスプリング１１５の上端部または下端部の少なくともいずれか一方に、前記露出回旋端部１１５ａを行方向Ｒまたは列方向Ｃ、或いは個別状態または全体状態で包む密封部材１０を装着することにより、前記上下部枠線部材１２０、１２０’と露出回旋端部１１５ａの干渉を遮断するとともに、露出回旋端部１１５ａの側面荷重を吸収することを特徴とし、スプリング組立体において上部枠線部材と露出回旋端部の相互干渉が源泉的に封鎖され、スプリングセットに積層されるパッド部材との接触による損傷を防止するばかりでなく、上部枠線部材と露出回旋端部の接触抵抗が吸収され、摩擦騒音を遮断することができる。
2006511320.tif 000002
【特許請求の範囲】
【請求項１】
上下部枠線部材１２０、１２０’間の空間にピン部材１４０によって、スプリングセット１１０の最も外側のコイルスプリング１１５を固定した後、このスプリングセット１１０の上下部側に行方向Ｒに沿って隣接したコイルスプリング１１５を結束するヘリカルコイル１３０を装着することにより、前記上部枠線部材１２０の上部側または前記下部枠線部材１２０’の下部側の少なくともいずれか一方に、コイルスプリングの露出回旋端部１１５ａが突出するように構成されるベッドマットレス用スプリング組立体において、
前記コイルスプリング１１５の上端部または下端部の少なくともいずれか一方に、前記露出回旋端部１１５ａを行方向Ｒに包む密封部材１０を装着することにより、前記上下部枠線部材１２０、１２０’と露出回旋端部１１５ａの干渉を遮断するとともに、前記露出回旋端部１１５ａの側面荷重を吸収することを特徴とするベッドマットレス用スプリング組立体の露出回旋端部密封装置。
【請求項２】
前記密封部材１０が、ウレタンフォームまたは不織布のいずれか一つであることを特徴とする請求項１に記載のベッドマットレス用スプリング組立体の露出回旋端部密封装置。
【請求項３】
前記密封部材１０が不織布である場合、前記露出回旋端部１１５ａの下部側に行方向Ｒに沿って下部不織布を介在した後、前記露出回旋端部１１５ａの上部側に行方向Ｒに沿って上部不織布を被せ、前記上下部不織布の接触面をタックまたは接合して固定させることを特徴とする請求項１または２に記載のベッドマットレス用スプリング組立体の露出回旋端部密封装置。
【請求項４】
前記密封部材１０が不織布である場合、前記ヘリカルコイル１３０の下部側に行方向Ｒに沿って下部不織布を介在した後、前記露出回旋端部１１５ａの上部側に行方向Ｒに沿って上部不織布を被せ、前記上下部不織布の接触面をタックまたは接合して固定させることを特徴とする請求項１または２に記載のベッドマットレス用スプリング組立体の露出回旋端部密封装置。
【請求項５】
前記密封部材１０が不織布である場合、前記露出回旋端部１１５ａの上部側に上部不織布を当接させて行方向Ｒに沿って包み、上部不織布の先端部を巻いて、露出回旋端部１１５ａの下部側を包んだ後、前記上部不織布の接触面をタックまたは接合して固定させ、前記方式によってまた他の露出回旋端部１１５ａを密封させることを特徴とする請求項１または２に記載のベッドマットレス用スプリング組立体の露出回旋端部密封装置。
【請求項６】
上下部枠線部材１２０、１２０’間の空間にピン部材１４０によって、スプリングセット１１０の最も外側のコイルスプリング１１５を固定した後、このスプリングセット１１０の上下部側に行方向Ｒに沿って隣接したコイルスプリング１１５を結束するヘリカルコイル１３０を装着することにより、前記上部枠線部材１２０の上部側または前記下部枠線部材１２０’の下部側の少なくともいずれか一方に、コイルスプリングの露出回旋端部１１５ａが突出するように構成されるベッドマットレス用スプリング組立体において、
前記コイルスプリング１１５の上端部または下端部の少なくともいずれか一方に、前記露出回旋端部１１５ａを列方向Ｃに包む密封部材１０を装着することにより、前記上下部枠線部材１２０、１２０’と露出回旋端部１１５ａの干渉を遮断するとともに、露出回旋端部１１５ａの側面荷重を吸収することを特徴とするベッドマットレス用スプリング組立体の露出回旋端部密封装置。
【請求項７】
前記密封部材１０が、ウレタンフォームまたは不織布のいずれか一つであることを特徴とする請求項６に記載のベッドマットレス用スプリング組立体の露出回旋端部密封装置。
【請求項８】
前記密封部材１０が不織布である場合、前記露出回旋端部１１５ａの下部側に列方向Ｃに沿って下部不織布を介在した後、前記露出回旋端部１１５ａの上部側に列方向Ｃに沿って上部不織布を被せ、前記上下部不織布の接触面をタックまたは接合して固定させることを特徴とする請求項６または７に記載のベッドマットレス用スプリング組立体の露出回旋端部密封装置。
【請求項９】
前記密封部材１０が不織布である場合、ヘリカルコイル１３０の下部側に列方向Ｃに沿って下部不織布を介在した後、前記露出回旋端部１１５ａの上部側に列方向Ｃに沿って上部不織布を被せ、前記上下部不織布の接触面をタックまたは接合して固定させることを特徴とする請求項６または７に記載のベッドマットレス用スプリング組立体の露出回旋端部密封装置。
【請求項１０】
前記密封部材１０が不織布である場合、前記露出回旋端部１１５ａの上部側に上部不織布を当接させて列方向Ｃに沿って包んだ後、前記上部不織布の先端部を巻いて露出回旋端部１１５ａの下部側を包み、前記上部不織布の接触面をタックまたは接合して固定させることを特徴とする請求項６または７に記載のベッドマットレス用スプリング組立体の露出回旋端部密封装置。
【請求項１１】
上下部枠線部材１２０、１２０’間の空間にピン部材１４０によって、スプリングセット１１０の最も外側のコイルスプリング１１５を固定した後、このスプリングセット１１０の上下部側に行方向Ｒに沿って隣接したコイルスプリング１１５を結束するヘリカルコイル１３０を装着することにより、前記上部枠線部材１２０の上部側または前記下部枠線部材１２０’の下部側の少なくともいずれか一方に、コイルスプリングの露出回旋端部１１５ａが突出するように構成されるベッドマットレス用スプリング組立体において、
前記コイルスプリング１１５の上端部または下端部の少なくともいずれか一方に、前記露出回旋端部１１５ａを個別状態で包む密封部材１０を装着することにより、前記上下部枠線部材１２０、１２０’と露出回旋端部１１５ａの干渉を遮断するとともに、露出回旋端部１１５ａの側面荷重を吸収することを特徴とするベッドマットレス用スプリング組立体の露出回旋端部密封装置。
【請求項１２】
前記密封部材１０が、ウレタンフォームまたは不織布のいずれか一つであることを特徴とする請求項１１に記載のベッドマットレス用スプリング組立体の露出回旋端部密封装置。
【請求項１３】
前記密封部材１０が不織布である場合、前記露出回旋端部１１５ａの下部側に個別状態で下部不織布を介在した後、前記露出回旋端部１１５ａの上部側に個別状態で上部不織布を被せ、前記上下部不織布の接触面をタックまたは接合して固定させることを特徴とする請求項１１または１２に記載のベッドマットレス用スプリング組立体の露出回旋端部密封装置。
【請求項１４】
上下部枠線部材１２０、１２０’間の空間にピン部材１４０によって、スプリングセット１１０の最も外側のコイルスプリング１１５を固定した後、このスプリングセット１１０の上下部側に行方向Ｒに沿って隣接したコイルスプリング１１５を結束するヘリカルコイル１３０を装着することにより、前記上部枠線部材１２０の上部側または前記下部枠線部材１２０’の下部側の少なくともいずれか一方に、コイルスプリングの露出回旋端部１１５ａが突出するように構成されるベッドマットレス用スプリング組立体において、
コイルスプリング１１５の上端部または下端部の少なくともいずれか一方に、前記露出回旋端部１１５ａを全体的に包む密封部材１０を装着することにより、前記上下部枠線部材１２０、１２０’と露出回旋端部１１５ａの干渉を遮断するとともに、露出回旋端部１１５ａの側面荷重を吸収することを特徴とするベッドマットレス用スプリング組立体の露出回旋端部密封装置。
【請求項１５】
前記密封部材１０が、ウレタンフォームまたは不織布のいずれか一つであることを特徴とする請求項１４に記載のベッドマットレス用スプリング組立体の露出回旋端部密封装置。
【請求項１６】
前記密封部材１０が不織布である場合、前記スプリングセット１１０の上部側に上部不織布を被せて、露出回旋端部１１５ａを全体的に包んだ後、この上部不織布の端部を露出回旋端部１１５ａの回旋端部にタックまたは接合して固定させることを特徴とする請求項１４または１５に記載のベッドマットレス用スプリング組立体の露出回旋端部密封装置。
【請求項１７】
前記密封部材１０が不織布である場合、前記スプリングセット１１０の上部側に上部不織布を全体的に被せた後、この上部不織布の端部を上部枠線部材１２０または下部枠線部材１２０’にタックまたは接合して固定させることを特徴とする請求項１４または１５に記載のベッドマットレス用スプリング組立体の露出回旋端部密封装置。
【発明の詳細な説明】
【技術分野】
【０００１】
本発明は、ベッドマットレスに内蔵されて外部荷重を吸収するスプリング組立体に関し、より詳しくは、スプリング組立体の上面または下面の少なくとも一方向に露出した回旋端部を包んで、パッド部材との干渉を遮断可能になったベッドマットレス用スプリング組立体密封装置に関する。
【背景技術】
【０００２】
一般に、突出型スプリング組立体（以下、スプリング組立体と称する。）は、ベッドマットレスに内蔵された状態で、その上面と下面にそれぞれ積層されるパッド部材とともに、クッション力と緩衝力を提供する弾性体であって、このスプリング組立体は、行方向または列方向に沿ってコイルスプリングが規則的に配設されている。
【０００３】
このとき、スプリング組立体の上下部面を構成する上部枠線部材と下部枠線部材との間の空間に、上下方向に沿って規則的にコイルスプリングを配設する場合、上部枠線部材の上側または下部枠線部材の下側にコイルスプリングの回旋端部が一定の高さで露出するようになる。
【０００４】
即ち、スプリング組立体１００は、図１に示すように、コイルスプリング１１５が行列方向Ｒ・Ｃに沿って配列されたスプリングセット１１０と、スプリングセット１１０の上下部に設けられ、最も外側のコイルスプリング１１５を支持する上下部枠線部材１２０、１２０’と、スプリングセット１１０の行方向Ｒに螺合され、隣接したコイルスプリング１１５の回旋端部を固定するヘリカルコイル１３０と、を備えている
また、コイルスプリング１１５は、上下部枠線部材１２０、１２０’間の空間にピン部材１４０によって固定された状態で、垂直方向に沿って一定の間隔をおいて規則的に配列され、その胴体の上端部または下端部には、上下部枠線部材１２０、１２０’の外部に露出した露出回旋端部１１５ａが形成されている。
【０００５】
従って、上下部枠線部材１２０、１２０’間の空間にピン部材１４０によってコイルスプリング１１５を固定し、スプリングセット１１０の上下部側に行方向Ｒにヘリカルコイル１３０を結合すると、上部枠線部材１２０の上部側または下部枠線部材１２０’の下部側に露出回旋端部１１５ａが形成されるようになる。
【０００６】
しかしながら、コイルスプリング１１５の露出回旋端部１１５ａがスプリングセット１１０の水平面を基準として、上下部枠線部材１２０、１２０’の外部に露出しているので、図２に示すように、前記スプリングセット１１０の上面と下面に不織布や絹綿などのパッド部材１５０を積層してカバーを被せる場合、前記パッド部材１５０と前記露出回旋端部１１５ａとが相互接触して前記パッド部材が損傷してしまうおそれがあった。
【０００７】
しかも、スプリング組立体１００は、ベッドマットレスに加えられる外力によって、前記露出回旋端部１１５ａが一方向に偏った場合、荷重が集中してコイルスプリング１１５の弾性力が低下するおそれがあるばかりでなく、前記露出回旋端部１１５ａの偏った部分が、前記上部枠線部材１２０または下部枠線部材１２０’の周縁面と接触して摩擦騒音を発生させるおそれがあった。
【発明の開示】
【発明が解決しようとする課題】
【０００８】
そこで、本発明はこのような問題点に鑑みてなされたもので、その目的とするところは、スプリング組立体の上面または下面の少なくとも一方向に露出した回旋端部を包んでパッド部材との干渉を遮断可能になったベッドマットレス用スプリング組立体の露出回旋端部密封装置を提供することにある。
【課題を解決するための手段】
【０００９】
上記課題を解決するために、本発明は、上下部枠線部材間の空間にピン部材によって、スプリングセットの最も外側のコイルスプリングを固定した後、このスプリングセットの上下部側に行方向に沿って隣接したコイルスプリングを結束するヘリカルコイルを装着することにより、前記上部枠線部材の上部側または前記下部枠線部材の下部側の少なくともいずれか一方に、コイルスプリングの露出回旋端部が突出するように構成されるベッドマットレス用スプリング組立体において、コイルスプリングの上部側または下部側の少なくともいずれか一方に、露出回旋端部を行方向または列方向、あるいは個別状態または全体状態で包む密封部材を設けることにより、上下部枠線部材と露出回旋端部の干渉を遮断するとともに、露出回旋端部の側面荷重を吸収することを特徴的な構成とする。
【００１０】
本発明の前記およびほかの目的、特徴および利点は添付図面を参考する以降の詳細な説明からより明らかに理解可能であろう。
【発明を実施するための最良の形態】
【００１１】
以下に添付図面を参照しながら、本発明の好適な実施の形態について詳細に説明する。
【００１２】
図３乃至図８は、本発明によるスプリング組立体が不織布で包まれた状態を示す断面図であり、図９及び図１０は、本発明によるスプリング組立体が不織布で包まれた状態を示す平面図であり、図１１乃至図１４は、本発明によるスプリング組立体にウレタンフォームがモールドされた状態を示す斜視図であって、上下部枠線部材１２０、１２０’間の空間にピン部材１４０によって、スプリングセット１１０の最も外側のコイルスプリング１１５を固定した後、このスプリングセット１１０の上下部側に行方向Ｒに沿って隣接したコイルスプリング１１５を結束するヘリカルコイル１３０を装着することにより、前記上部枠線部材１２０の上部側または前記下部枠線部材１２０’の下部側の少なくともいずれか一方に、コイルスプリングの露出回旋端部１１５ａが突出するように構成されるベッドマットレス用スプリング組立体において、前記コイルスプリング１１５の上端部または下端部の少なくともいずれか一方に、前記露出回旋端部１１５ａを行方向Ｒまたは列方向Ｃ、あるいは個別状態または全体状態で包む密封部材１０を設けることにより、上下部枠線部材１２０、１２０’と露出回旋端部１１５ａの干渉を遮断するとともに、露出回旋端部１１５ａの側面荷重を吸収する構成である。
【００１３】
先ず、本発明によるスプリング組立体１００の主要構成要素のうち、スプリングセット１１０と、上下部枠線部材１２０、１２０’と、ヘリカルコイル１３０とは、公知の技術と機能上、同一であるので、詳細な説明は省略するが、但し、露出回旋端部１１５ａが密封部材１０によって密封されて保護される点において異なる。
【００１４】
このとき、密封部材１０は、コイルスプリング１１５の上端部または下端部を包む部材であって、露出回旋端部１１５ａを完全に包む程度の体積で形成することが好ましく、特に、その素材としては、ポリウレタンを主材料とするウレタンフォームまたは柔軟な材質の不織布を用いることが好ましい。
【００１５】
ここで、密封部材１０としてはウレタンフォームと不織布に限定して説明されているが、露出回旋端部１１５ａを完全に包んだ状態で、パッド部材及び枠線部材との干渉を遮断する材質であれば、いずれの素材も可能である。
【００１６】
さらに、密封部材１０として不織布を用いて露出回旋端部１１５ａを包む過程において、図３乃至図１０に示すように、露出回旋端部１１５ａを行方向Ｒまたは列方向Ｃ、或いは個別状態または全体状態で包んだ後、その接触面を接合して密封する過程に必須に要求されている。
【００１７】
ここで、露出回旋端部１１５ａの周縁面を不織布で包む過程において、例えば、一つ若しくは二つまたはそれ以上の不織布を相互接合して、露出回旋端部１１５ａを密封することができ、それ以外にも、不織布を用いて露出回旋端部１１５ａを密封する方法であれば、本願の技術の範囲に含まれることは当然である。
【００１８】
例えば、図３に示すように、前記スプリングセット１１０の上部側に上部不織布を被せ、露出回旋端部１１５ａを全体的に包んだ後、この上部不織布の端部を露出回旋端部１１５ａの回旋にタックまたは接合して固定させるか、或いは、図９と図１０に示すように、前記スプリングセット１１０の上部側を上部不織布で全体的に被せ、この上部不織布の端部を上部枠線部材１２０または下部枠線部材１２０’にタックまたは接合して固定させることもできる。
【００１９】
また、図４と図５に示すように、前記露出回旋端部１１５ａの下部側に行方向Ｒに沿って下部不織布を介在し、露出回旋端部１１５ａの上部側に行方向Ｒに沿って上部不織布を被せた後、上下部不織布の接触面をタックまたは接合して固定させるか、或いは、前記露出回旋端部１１５ａの下部側に列方向Ｃに沿って下部不織布を介在し、露出回旋端部１１５ａの上部側に列方向Ｃに沿って上部不織布を被せた後、上下部不織布の接触面をタックまたは接合して固定させることもできる。
【００２０】
このとき、図４に示すように、上部不織布と下部不織布を個別状態で切断し、行方向Ｒまたは列方向Ｃに露出回旋端部１１５ａを密封させることもでき、図５に示すように上部不織布と下部不織布を切断せず、行方向Ｒまたは列方向Ｃに露出回旋端部１１５ａを密封させることもできる。
【００２１】
また、図６と図７に示すように、ヘリカルコイル１３０の下部側に行方向Ｒに沿って下部不織布を介在し、前記露出回旋端部１１５ａの上部側に行方向Ｒに沿って上部不織布を被せた後、前記上下部不織布の接触面をタックまたは接合して固定させるか、或いは、ヘリカルコイル１３０の下部側に列方向Ｃに沿って下部不織布を介在し、前記露出回旋端部１１５ａの上部側に列方向Ｃに沿って上部不織布を被せた後、前記上下部不織布の接触面をタックまたは接合して固定させることができる。
【００２２】
このとき、ヘリカルコイル１３０またはスプリングセットが接する地点に下部不織布を位置させた状態で、図６に示すように、上部不織布を個別状態に切断するか、または図７に示すように、上部不織布を切断せずに連続して用いることができる。
【００２３】
また、図８に示すように、前記露出回旋端部１１５ａの上部側に上部不織布を当接させて行方向Ｒに沿って包み、上部不織布の先端部を巻いて、露出回旋端部１１５ａの下部側を包んだ後、上部不織布の接触面をタックまたは接合して固定させるか、或いは、前記露出回旋端部１１５ａの上部側に上部不織布を当接させて列方向Ｃに沿って包み、この上部不織布の先端部を巻いて、露出回旋端部１１５ａの下部側を包んだ後、上部不織布の接触面をタックまたは接合して固定させることもできる。
【００２４】
また、図１１乃至図１４に示すように、密封部材１０の素材としてウレタンフォームを用いて露出回旋端部１１５ａを密封する過程において、鋳型（図示せず）中にスプリング組立体１００の密封部分、即ち、密封しようとするコイルスプリング１１５の露出回旋端部１１５ａを浸積した状態で一定の時間及び一定の温度でセットし、例えば、露出回旋端部１１５ａを行方向Ｒまたは列方向Ｃ、或いは個別状態または全体状態で発泡させて密封させることもできる。
【００２５】
また、図３乃至図１０に示すような不織布、または図１１乃至図１４に示すようなウレタンフォームを用いて、コイルスプリング１１５の露出回旋端部１１５ａを密封する過程で、例えば、スプリングセット１１０の上部側に位置する露出回旋端部１１５ａを行方向Ｒまたは列方向Ｃ、或いは個別状態または全体状態で密封した状態で、スプリングセット１１０の下部側に位置する露出回旋端部１１５ａを行方向Ｒまたは列方向Ｃ、或いは個別状態または全体状態を選択して密封させることもできる。
【００２６】
次に、本発明による作用について説明する。
【００２７】
先ず、図３乃至図１０に示すように、スプリング組立体１００の露出回旋端部１１５ａを上下部不織布で包んで密封する場合、露出回旋端部１１５ａの始点と終点を上下部不織布でそれぞれ包んだ状態で、その接触面をタックまたは接合する。
【００２８】
また、図１１乃至図１４に示すように、スプリング組立体１００の露出回旋端部１１５ａをウレタンフォームで発泡して密封する場合、一旦、鋳型（図示せず）中に液状のウレタンフォームを注入した状態で、密封しようとする露出回旋端部１１５ａを浸積し、セット温度でセット時間の間維持して密封させる。
【００２９】
このようにして、スプリング組立体１００の上部側または下部側の少なくともいずれか一方に不織布またはウレタンフォームのような密封部材１０が固定され、即ち、コイルスプリング１１５の露出回旋端部１１５ａに行方向Ｒまたは列方向Ｃ、或いは個別状態または全体状態で密封部材１０が固定されるようになる。
【００３０】
その後、スプリング組立体１００の上下部面にそれぞれのパッド部材１５０を積層した状態で、上下部カバー部材をそれぞれ包んで裁縫すると、ベッドマットレスの製造による一連の作業工程が完了する。
【００３１】
以上、本発明について図示された一実施の形態により詳述したが、これは、一例に過ぎず、その技術の分野における通常の知識を有する者であれば、これから種々の変形と均等な他の実施の形態が可能なことが理解されるべきである。従って、本発明の真正な技術的な保護範囲は、添付の特許請求の範囲の技術的思想により定められるものである。
【００３２】
本発明によると、スプリング組立体の上部側に不織布またはウレタンフォームからなる密封部材が固定された状態を維持するので、密封部材の周縁面に直接接触するパッド部材が保護され得る。
【００３３】
このようにして、ベッドマットレスの使用過程においてスプリング組立体へ使用者の荷重が加えられても、密封部材によって露出回旋端部とパッド部材の接触が遮断されるばかりでなく、露出回旋端部の傾きが最小化され、摩擦騒音が源泉的に封鎖されるようになる。
【００３４】
また、スプリング組立体に積層されるパッド部材と、露出回旋端部の周縁面を包む密封部材が面接触し、露出回旋端部とパッド部材が相互干渉しないので、露出回旋端部との摩擦によるパッド部材の損傷を防ぐことができ、寿命が延長されるものである。
【図面の簡単な説明】
【００３５】
図１は、従来の技術によるスプリング組立体を示す斜視図である。
【００３６】
図２は、従来の技術によるスプリング組立体の適用状態を示す図である。
【００３７】
図３乃至図８は、本発明によるスプリング組立体が不織布で包まれた状態を示す断面図である。
【００３８】
図９及び図１０は、本発明によるスプリング組立体が不織布で包まれた状態を示す平面図である。
【００３９】
図１１乃至図１４は、本発明によるスプリング組立体にウレタンフォームがモールドされた状態を示す斜視図である。
【図１】
2006511320.tif 000003
【図２】
2006511320.tif 000004
【図３】
2006511320.tif 000005
【図４】
2006511320.tif 000006
【図５】
2006511320.tif 000007
【図６】
2006511320.tif 000008
【図７】
2006511320.tif 000009
【図８】
2006511320.tif 000010
【図９】
2006511320.tif 000011
【図１０】
2006511320.tif 000012
【図１１】
2006511320.tif 000013
【図１２】
2006511320.tif 000014
【図１３】
2006511320.tif 000015
【図１４】
2006511320.tif 000016
【国際調査報告】
2006511320.tif 000017